(57)【要約】【課題】ヘッドホンケーブルに接触した際の振動がイヤーピースに伝搬することを抑制し、タッチノイズを低減する。【解決手段】ドライバユニットに接続されるリード線７，８が引き出され、前記リード線が外皮によって被覆されたケーブル５を具備するヘッドホン１であって、前記ケーブルの所定位置において径方向に分断された前記外皮９と、前記分断された外皮を繋ぐように該外皮の周囲を覆うと共に、該分断された位置においてむき出された前記リード線の周囲を覆う制振部材６とを備え、前記制振部材の材質は、前記外皮の材質とは異なる。【選択図】図１
2014064159.tif 000002
【特許請求の範囲】
【請求項１】
ドライバユニットに接続されるリード線が引き出され、前記リード線が外皮によって被覆されたケーブルを具備するヘッドホンであって、
前記ケーブルの所定位置において径方向に分断された前記外皮と、
前記分断された外皮を繋ぐように該外皮の周囲を覆うと共に、該分断された位置において露出した前記リード線の周囲を覆う制振部材とを備え、
前記制振部材の材質は、前記外皮の材質とは異なることを特徴とするヘッドホン。
【請求項２】
前記制振部材は、前記ケーブルの先端側から左右一対のドライバユニット側にそれぞれ分岐して延びるケーブル上に設けられることを特徴とする請求項１に記載されたヘッドホン。
【請求項３】
前記外皮の分断された位置において、前記リード線は分断され、
前記分断されたリード線は、配線基板を介して電気的に接続され、
前記配線基板は、前記制振部材により覆われていることを特徴とする請求項１または請求項２に記載されたヘッドホン。
【請求項４】
前記制振部材は、エラストマーからなる制振材、あるいは少なくとも一部にエラストマーを含む制振材により形成されていることを特徴とする請求項１乃至請求項３のいずれかに記載されたヘッドホン。
【発明の詳細な説明】
【技術分野】
【０００１】
本発明は、ヘッドホンに関し、特に耳栓型（カナル型）のヘッドホンにおいて、ヘッドホンケーブルへの接触により発生するタッチノイズを低減するヘッドホンに関する。
【背景技術】
【０００２】
耳栓型（以下、カナル型と称呼する）のヘッドホンは、例えば図４に示すように、ドライバユニット（図示せず）を収容するハウジング２と、ハウジング２に連通するイヤーピース３とを有する。更に、前記ドライバユニットに接続されるリード線（図示せず）が引き出される引き出し部４と、引き出し部４から引き出されるリード線を被覆したケーブル５とを有している。そして、このヘッドホンは、イヤーピース３と共にハウジング２を使用者の外耳道内に挿入することにより密着して装着され、使用される。
【０００３】
このようなカナル型のヘッドホンによれば、遮音性能が比較的良好であるため、周囲の騒音の影響を受けにくいというメリットがある。
尚、このようなカナル型ヘッドホンの構成については、特許文献１に開示されている。
【先行技術文献】
【特許文献】
【０００４】
【特許文献１】特開２０１１−１８２２０１号公報
【発明の概要】
【発明が解決しようとする課題】
【０００５】
ところで、前記のようにカナル型のヘッドホンにあっては、イヤーピース３を外耳道に密着させて使用される。そのため、例えば使用者の身体にヘッドホンケーブル５が接触すると、その振動が伝搬して耳に届き、所謂タッチノイズと呼ばれるノイズとなって使用者に不快感を与えていた。
【０００６】
前記タッチノイズの課題に対し、従来は、使用者自身がイヤーピース装着時にケーブル５を耳裏に回す、或いは、ケーブルの途中をクリップで衣類等に留め、ケーブル５を伝搬するノイズ源を途中で遮断する工夫をして対処していた。即ち、従来構成のヘッドホンにあっては、使用者に対し煩わしさを与えてしまうという課題があった。
そのため、使用者に前記のような煩わしさを与えることなく、製品自体の構造により前記タッチノズルの課題を解決することが求められていた。
【０００７】
本発明は、前記した点に着目してなされたものであり、ヘッドホンケーブルに接触した際の振動がイヤーピースに伝搬することを抑制し、タッチノイズを低減するこのとのできるヘッドホンを提供することを目的とする。
【課題を解決するための手段】
【０００８】
前記した課題を解決するために、本発明に係るヘッドホンは、ドライバユニットに接続されるリード線が引き出され、前記リード線が外皮によって被覆されたケーブルを具備するヘッドホンであって、前記ケーブルの所定位置において径方向に分断された前記外皮と、  前記分断された外皮を繋ぐように該外皮の周囲を覆うと共に、該分断された位置において露出した前記リード線の周囲を覆う制振部材とを備え、前記制振部材の材質は、前記外皮の材質とは異なることに特徴を有する。
尚、前記制振部材は、前記ケーブルの先端側から左右一対のドライバユニット側にそれぞれ分岐して延びるケーブル上に設けられることが望ましい。
このように構成されたヘッドホンによれば、ケーブルにおいてケーブル外皮が径方向に分断され、露出したリード線の周囲を覆うように、分断箇所が、外皮とは異なる材質の制振部材により連結される。これにより、ヘッドホンケーブルが使用者の身体に当たるなどして振動が生じても、ケーブル外皮とは材質の異なる制振部材において振動が分散され、タッチノイズの発生を大幅に低減することができる。
【０００９】
また、前記外皮の分断された位置において、前記リード線は分断され、前記分断されたリード線は、配線基板を介して電気的に接続され、前記配線基板は、前記制振部材により覆われていることが望ましい。
このように外皮と共に、リード線も分断された構成としてもよく、その場合には、外皮だけではなく、リード線を伝わる振動を配線基板において分散させることができ、よりタッチノイズの発生を抑制することができる。
また、その場合、外皮及び各リード線の分断箇所において各リード線がそれぞれ被覆されていなくても、分断部分は配線基板を介して接続されるため、リード線同士の短絡を防止することができる。
【００１０】
また、前記制振部材は、エラストマーからなる制振材、あるいは少なくとも一部にエラストマーを含む制振材により形成されていることが望ましい。
このようにエラストマーからなる制振材、あるいは少なくとも一部にエラストマーを含む制振材により制振部材を形成することにより、ケーブルを伝わる振動を効果的に分散させることができる。
【発明の効果】
【００１１】
本発明によれば、ヘッドホンケーブルに接触した際の振動がイヤーピースに伝搬することを抑制し、タッチノイズを低減するこのとのできるヘッドホンを得ることができる。
【図面の簡単な説明】
【００１２】
【図１】図１は、本発明に係るヘッドホンの一部を拡大して示す斜視図である。
【図２】図２は、図１のヘッドホンが備える制振部材の断面図である。
【図３】図３は、本発明に係るヘッドホンの他の実施形態を示す制振部材の断面図である。
【図４】図４は、従来のヘッドホンの一部を拡大して示す斜視図である。
【発明を実施するための形態】
【００１３】
以下、本発明の実施の形態を図面に基づき説明する。図１は本発明に係るヘッドホンの一部を拡大して示す斜視図である。尚、図１にはヘッドホン１が有する左右一対のヘッドホンユニット１０のうち、一方のみを示すが、左右対称の同様の構造であるため他方の説明は省略する。また、図１において、先に図４に示した従来の構成と同一の部材、若しくは相当する部材については同じ符号で示し、その詳細な説明は省略する。
【００１４】
本発明に係るヘッドホン１は、図１に示すように、ドライバユニット（図示せず）を収容するハウジング２と、ハウジング２に連通するイヤーピース３とを有する。更に、前記ドライバユニットに接続されるリード線が引き出される引き出し部４と、引き出し部４から引き出されるリード線を被覆したケーブル５とを有している。
【００１５】
また、ケーブル５の先端側から左右一対のヘッドホンユニット１０（ドライバユニット）側にそれぞれ分岐して延びるケーブル５の所定位置（例えば、引き出し部４の端から３〜４ｃｍの位置）には、ケーブル５の一部周囲を覆う俵形状の制振部材６が設けられている。
図２に前記制振部材６の断面図を示す。図２に示すように、制振部材６の内部においては、ケーブル５の外皮９が径方向に分断され、この分断された外皮９を繋ぐように制振部材６が設けられている。前記外皮９は、例えばポリ塩化ビニル（ＰＶＣ）により形成されている。
また、外皮９が分断された箇所においては、外皮９に覆われていたリード線７、８（ホット、コールド）が露出する（むき出される）が、それらを覆い、互いの隙間を埋めるように制振部材６が設けられている。尚、前記リード線７、８は、それぞれ絶縁材（例えばポリウレタン）により被覆されており、互いに交差して接触しても短絡しないようになっている。
【００１６】
前記制振部材６は、外皮９とは異なる材質、例えば、エラストマーからなる制振材、あるいは少なくとも一部にエラストマーを含む制振材により形成されている。尚、前記少なくとも一部にエラストマーを含む制振材とは、エラストマーと他の合成樹脂材料を混合、成形したもの、及びエラストマーと他の合成樹脂材料を一体的に成形した、いわゆる二色成形されたものの両方を含むものである。また、エラストマー以外の制振材としては、制振ゴム（好ましくはノンボルネンゴム）も好適である。また、前記外皮９と異なる材質とは、単に材料が異なることを意味することに限らず、外皮９と同じ材料（例えば同じエラストマー）であっても、その物性が異なればよいことを含む（例えば弾性率が異なるなど）。
それにより、ケーブル５が使用者の身体に当たるなどして生じたケーブル５上の振動は、制振部材６において分散され、イヤーピース３側への伝搬が抑制される。
尚、ヘッドホン１の製造時において、前記ケーブル５の途中に前記制振部材６を設ける際には、図２に示したように径方向に外皮９を径方向に分断し、露出した（むき出された）リード線７、８を覆うように中押し成型などにより前記制振部材６を形成すればよい。
【００１７】
このように本発明に係る実施の形態によれば、ヘッドホンケーブル５においてイヤーピース３の近傍のケーブル外皮９が径方向に分断され、露出したリード線７、８を覆うように、分断箇所が、外皮９とは異なる材質の制振部材６により連結される。これにより、ヘッドホンケーブル５が使用者の身体に当たるなどしてケーブル５上に振動が生じても、外皮９とは材質の異なる制振部材６において振動が分散され、タッチノイズの発生を大幅に低減することができる。
【００１８】
尚、前記実施の形態においては、外皮９の分断箇所において露出した（むき出された）リード線７、８は分断されていない構成を例に説明したが、本発明にあっては、その構成に限定されるものではない。
例えば、図３（断面図）に示すように外皮９と共に、リード線７、８も分断された構成としてもよく、その場合には、分断されたリード線７、８を、プリント配線基板等の配線基板１５を介して電気的に接続する構成とすればよい。それにより外皮９だけではなく、リード線７、８を伝わる振動を基板１５において分散させることができ、よりタッチノイズの発生を抑制することができる。
【００１９】
また、図３の構成によれば、外皮９及びリード線７、８の分断箇所において各リード線がそれぞれ被覆されていない場合であっても、分断部分は配線基板１５を介して接続され、各リード線及び配線基板１５は制振部材６によって覆われるため、リード線同士の短絡を防止することができる。
【００２０】
また、前記実施の形態において、前記制振部材６は、好ましくは、例えば、エラストマーからなる制振材、あるいは少なくとも一部にエラストマーを含む制振材により形成されているものとしたが、図３の構成にあっては、外皮９だけでなく各リード線での振動の伝達を分散することができるため、ポリエチレン、ポリプロピレン等の材料を、前記制振部材として用いても充分にタッチノイズの発生を抑制することができる。
即ち、前記制振部材６として、例えば、ポリエチレン、ポリプロピレン等の合成樹脂材料からなる制振材、あるいは少なくとも一部にポリエチレン、ポリプロピレン等の合成樹脂材料を含む制振材により形成しても良い。
【符号の説明】
【００２１】
１          ヘッドホン
２          ハウジング
３          イヤーピース
４          引き出し部
５          ケーブル
６          制振部材
７          リード線
８          リード線
９          外皮
１０          ヘッドホンユニット
１５          配線基板
【図１】
2014064159.tif 000003
【図２】
2014064159.tif 000004
【図３】
2014064159.tif 000005
【図４】
2014064159.tif 000006